Podtech/llm-jp-corpus-v4-ja_patent huggingface dataset:
(57)【要約】【課題】  従来の顆粒状物をその入れ物から容器へそそぐ場合には、スプーン等を使うか、直接入れ物の口からから慎重に手でこまめに揺すり、顆粒状物の出具合を調整しながら容器にそそいでいた。このため、直接顆粒状物の入れ物の口から容器にそそぐ時には、顆粒状物の量をそそぎ過ぎることもあり、いつもこのような事のないように余計な神経と技術を必要としていた。【解決手段】  顆粒状物入れ物のそそぎ口に取りつけるそそぎ口具で、そそぎ口部分の開口面積を狭くし、余計な量の顆粒状物がそそぎ口まわりから外に流れ出ないようにする事で顆粒状物をコントロールしやすくして、手で容器にそそぎ易くした。また、スプーン等で顆粒状物を容器にそそぐ事もできるように、顆粒状物入れ物のそそぎ口に取りつけるそそぎ口具の上部開口面積を広くしてある。さらに、そそぎ口具が顆粒状物入れ物のそそぎ口から簡単に外れないよう突起を設けている。なお、顆粒状物入れ物のふたを締めた時に密閉できるよう、そそぎ口具に密閉板を設けている。【選択図】図１
2010247895.tif 000002
【特許請求の範囲】
【請求項１】
（イ）顆粒状物入れ物のそそぎ口に取りつける。
（ロ）顆粒状物入れ物から顆粒状物を容器にそそぐため、そそぎ口部分を狭くした開口部がある。
（ハ）開口部にはスプーン等を使っても容器にそそげるような広さもある。
（ニ）取付けた時に外れないよう顆粒状物入れ物に引っ掛けて止める突起がある。
（ホ）顆粒状物入れ物のふたを閉めたときに密閉できる密閉板がある。。
以上の構成よりなるそそぎ口具。
【発明の詳細な説明】
【技術分野】
【０００１】  本発明は、顆粒状物を簡単に容器にそそぐ器具に関する。
【背景技術】
【０００２】  従来の顆粒状物をその入れ物から容器にそそぐ方法では、スプーン等ですくってそそぐか、直接入れ物の口から慎重に手でこまめに揺すり顆粒状物の出具合を調整しながら容器にそそいでいた。
【発明の概要】
【発明が解決しようとする課題】
【０００３】  従来の顆粒状物をその入れ物から容器へそそぐ場合には、スプーン等を使うか、直接入れ物の口からから慎重に手でこまめに揺すり、顆粒状物の出具合を調整しながら容器にそそいでいた。このため、直接顆粒状物の入れ物の口からそそぐ時には、顆粒状物の量をそそぎ過ぎることもあり、いつもこのような事のないように余計な神経と技術を必要としていた。【０００４】  本発明は、このような従来の問題を解決しようとするものであり、顆粒状物をその入れ物から直接容器にそそぐことを容易にし、スプーン等を使わず手により顆粒状物をそそぎやすくすることを目的とするものである。
【課題を解決するための手段】
【０００５】  そして、本発明は上記目的を達成するために、顆粒状物入れ物のそそぎ口に取りつけるそそぎ口具で、そそぎ口部分の開口面積を狭くし、余計な量の顆粒状物がそそぎ口まわりから外に流れ出ないようにする事でコントロールしやすくして、手でそそぎ易くしたものである。【０００６】  また、スプーン等で顆粒状物をそそぐ事もできるように、顆粒状物入れ物のそそぎ口に取りつけるそそぎ口具の上部開口面積を広くしてある。さらに、そそぎ口具が顆粒状物入れ物から簡単に外れないよう突起を設けている。なお、顆粒状物入れ物のふたを締めた時に密閉できるよう、そそぎ口具に密閉板を設けている。
【発明の効果】
【０００７】  上記したように本発明のそそぎ口具は、顆粒状物入れ物から手で容易に容器にそそぐ事ができるようになり、余計な量の顆粒状物をそそぐ心配が無く効率よく顆粒状物を利用することができる。【０００８】  また、従来通りスプーン等で顆粒状物を入れ物から容器にそそぐ事もできるため、使い易さを発揮するものである。【０００９】  顆粒状物を入れ物から手で容器にそそぐ事が容易になり、顆粒状物の利用促進に効果を発揮するものである。
【図面の簡単な説明】
【００１０】
【図１】  本発明のそそぎ口具の斜視図
【図２】  同  正面図
【図３】  同  側面図
【図４】  同  平面図
【発明を実施するための形態】
【００１１】  以下、本発明の実施形態を図１〜図４に基づいて説明する。
【００１２】  図においては、１は顆粒状物を容器にそそぐ開口部でそそぎ口部分を狭くし、また、スプーン等を使ってもそそげる広さも確保している、そそぎ口具が外れないよう顆粒状物の入れ物に引っ掛けて止める突起２、顆粒状物入れ物のふたを締めた時に密閉できるようにした密閉板３である。
【符号の説明】
【００１３】  １  開口部
２  突起
３  密閉板
【図１】
2010247895.tif 000003
【図２】
2010247895.tif 000004
【図３】
2010247895.tif 000005
【図４】
2010247895.tif 000006
(57)【要約】【課題】  本発明は、従来、使用されている名刺箱や名刺収納ケースでは、名刺を取り出す際に蓋体を取り除いて底体部に収納した名刺を取り出すが、名刺の数量が側面の高さより低くなると底本体ごと逆さにして取り出さなければならない不便さを解決するための組み立て式の収納ケースを提供する。【解決手段】  蓋体部を持ち上げ底体部に載置した名刺を手前に引き出すことにより底体前部片が手前に倒されて任意の枚数の名刺を容易に、しかも最後の１枚まで取り出すことができることを特徴とする組み立て式の収納ケース。【選択図】図２
2010247893.tif 000002
【特許請求の範囲】
【請求項１】
蓋体天面部（６）の端部に、嵌着用凸部（１１）と係止用凸部（１２）を設けた蓋体天面部（７）をヒンジ部を介して連接し、蓋体天面部の左右に複数の嵌着用凸部（１１）を設けた蓋体右固定用片（９ｂ）をヒンジ部を介して連接した蓋体側片（８ａ）、（８ｂ）をヒンジ部を介して連接し、背面部（２）をヒンジ部を介して連接する底体部（１）の前部に係止用穴部（１３）を設けた底体前部片（４）をヒンジ部を介して連接し、底体部の左右に補助片（５ａ）、（５ｂ）で連接する左右側片（３ａ）、（３ｂ）をヒンジ部により連接して成る組み立て式の収納ケース。
【発明の詳細な説明】
【技術分野】
【０００１】  本発明は、たとえば、名刺やハガキ、コピー用紙などを収納するための組み立て式の収納ケースに関するものである。
【背景技術】
【０００２】  従来、使用されている名刺箱には、紙製の折畳用の名刺箱や紙製の名刺箱、または、合成樹脂製の蓋付きの名刺箱等があった。
【先行技術文献】
【０００３】
【特許文献１】  特開２００３−１８２２７９号公報
【発明の概要】
【発明が解決しようとする課題】
【０００４】  これは次のような欠点があった。
従来の蓋付き名刺箱から名刺を取り出すには、蓋を取ってから名刺を取り出すが、その場合、名刺が側面より低くなったときは、名刺箱を逆さにしないと取り出しが困難であった。
また、紙製の名刺箱や紙製の組み立て名刺箱の場合でも、名刺の取り出すときには不便さがあった。
本発明は、以上のような欠点をなくするためになされたものである。
【課題を解決するための手段】
【０００５】  蓋体前部の嵌着機能により、蓋体部分を組み上げ、各部のヒンジ部を介して底体左右側片の外側にそって開閉するもので、底体前部片を左右側片に拘束されないフリーな状態に形成した。
本発明は、以上の構成よりなる組み立て式の収納ケースである。
【発明の効果】
【０００６】  従来、たとえば、名刺の収納ケース等から１枚１枚容易に名刺を取り出せるものはなかった。
本発明は蓋体を持ち上げることにより、底体前部片がフリーな状態になり、名刺を取り出す際、名刺によって底体前部片を手前に押し倒しながら取り出すことができるので任意の枚数を最後の１枚まで容易に取り出すことができる。
さらに使用済みのケースは、元の平面状に戻して保管したり処分したりもできる。
また、名刺のみに限らず、他のカード類の収納用としても使用することができる。
【図面の簡単な説明】
【０００７】
【図１】  本発明の平面図である。
【図２】  本発明の実施例を示した斜視図である。
【図３】  本発明の組み立てた状態を示した斜視図である。
【発明を実施するための形態】
【０００８】  以下、本発明の実施の形態について説明する。
平面状に形成した底体部（１）に底体右後部補助片（５ａ）をヒンジ部を介して連接する底体右側片（３ａ）をヒンジ部により連接、他方前記底体（１）の左側に底体左後部補助片（５ｂ）をヒンジ部によって連接する底体左側片（３ｂ）をヒンジ部により連接し、また、前記底体（１）の前部に底体前部片（４）をヒンジ部によって連接、さらに前記底体部（１）の後部に背面部（２）をヒンジ部で連接し、該背面部（２）の後部に嵌着用の穴部（１１）と係止用凸部（１２）を設けた蓋体前部片（７）をヒンジ部により連接する蓋体天面部（６）をヒンジ部で連接し、さらに該蓋体天面部（６）の右側に嵌着用凸部（１０ａ）を設けた蓋体右固定用片（９ａ）をヒンジ部により連接する蓋体右側片（８ａ）をヒンジ部によって連接し、さらに前記蓋体天面部（６）の左側に嵌着用凸部（１０ｂ）を設けた蓋体左固定用片（９ｂ）をヒンジ部により連接する蓋体左側片（８ｂ）をヒンジ部によって連接してある。
本発明は、以上の構成よりなる組み立て式の収納ケースである。
本発明の使い方を説明する。
蓋体天面部（６）の先端部に連接した蓋体前部片（７）の嵌着用の穴部（１１）に蓋体右固定用片（９ａ）ならびに蓋体左固定用片（９ｂ）の各々の嵌着用凸部（１０ａ）、（１０ｂ）を蓋体右側片（８ａ）ならびに蓋体左側片（８ｂ）を谷折りに折り曲げながら嵌着して蓋体部を組み上げ、底体右側片（３ａ）ならびに底体左側片（３ｂ）の後部に連接した底体左右後部補助片（５ａ）、（５ｂ）を谷折りに折り曲げながら背面部（２）の内側に入るように底体左右側片（３ａ）、（３ｂ）ならびに底体前部片（４）の外側にそって前記蓋体天面部（６）をかぶせるように底体部（１）の上面に載置した名刺を収納する。
最後に蓋体前部片（７）の端部に設けた係止用凸部（１２）を係止用穴部（１３）に嵌合して係止する。
【符号の説明】
【０００９】      １  底体部
２  背面部
３ａ  底体右側片
３ｂ  底体左側片
４  底体前部片
５ａ  底体右側補助片
５ｂ  底体左側補助片
６  蓋体天面部
７  蓋体前部片
８ａ  蓋体右側片
８ｂ  蓋体左側片
９ａ  蓋体右固定用片
９ｂ  蓋体左固定用片
１０ａ  嵌着用凸部
１０ｂ  嵌着用凸部
１１  嵌着用の穴部
１２  係止用凸部
１３  係止用穴部
【図１】
2010247893.tif 000003
【図２】
2010247893.tif 000004
【図３】
2010247893.tif 000005
(57)【要約】      （修正有）【課題】液体の食料品，化粧品，薬品，工業用品等の蓋を開けた場合、空気が入り劣化が進むのを防止する。【解決手段】そこでプラスチックや紙などで作った，断面が楕円や長方形，容器の形状に合った浮き具の中に空洞部分３を作ったり，浮力ある材質を液面４上に浮かす事で，空気との接触を無し，劣化を遅らせる劣化防止浮き具２である。又断面が楕円状の場合，液体を外に注ぐ時，容器が斜になっても側面に付着せず，浮いている時も浮力で常に液面４上に出続け，反転しても同じように維持できる。更に浮き具を容器の底の形と同じにし，大きさも上下に動かせる大きさにすれば，液面が空気に触れず，液量が減っても引っ掛からず使い勝手も良い。浮き具に酸化防止剤等を練り混んだりすれば，更に効果は大きい。消耗品は容器の材質と浮き具を同じにすれば，リサイクルに便利である。【選択図】図１
2010247896.tif 000002
【特許請求の範囲】
【請求項１】
中に空洞部分を設けたり，浮力のある材質を液体に浮かした劣化防止浮き具．
【請求項２】
断面が楕円形や長方形，容器の形状に合わした請求項１記載の劣化防止の浮き具．
【請求項３】
容器の底の形と同じで，幅を少し小さくした，請求項１記載の劣化防止の浮き具．
【請求項４】
酸化防止や劣化防止の物質を塗ったり，練りこんだ請求項１記載の劣化防止の浮き具．
【発明の詳細な説明】
【背景技術】
【００１】従来，液体の食料品や化粧品や薬品等は蓋を開けると，空気が入り酸化や劣化，腐敗が進んでいった．
【課題を解決する手段】
【００２】そこでプラスチックや紙などで作った，断面が楕円や長方形や容器の形状に合った浮き具に，空洞や浮力のある物を使い，液体の表面に浮かし，空気との接触を無す事で，劣化を遅らせる劣化防止具を提供する．
【発明の効果】
【００３】よって本発明は，液面に浮力のある材質か，空洞のある浮き具を浮かす事で，劣化等のスピード遅らせるものである．又断面を楕円にすれば，液体を外に注ぐ時，容器が斜になっても側面に付着せず，浮いている時も浮力で常に液面上に出続け，反転しても同じ状態を維持できる．
更に浮き具を容器の底の形と同じにし，大きさも上下に動かせる大きさにすれば，液面が空気に触れず，液量が減っても引っ掛からず使い勝手も良い．
浮き具に酸化防止剤等を練り混んだりすれば，更に効果は大きい．
【発明を実施するための最良の形態】
【００４】本発明は図に示す通り，液体を入れる容器１に，劣化防止の浮き具２を液面に浮かし，その中に空洞部分３を設けた．４は液面．
【図面の簡単な説明】
【００５】
【図１】使用例断面図
【図２】使用例断面図
【符号の説明】
【００６】１液体を入れる容器  ２劣化防止の浮き具  ３空洞部分  ４液面
【図１】
2010247896.tif 000003
【図２】
2010247896.tif 000004
(57)【要約】      （修正有）【課題】階段を安全に昇降できる運搬器具を提供する。【解決手段】運搬器具にらせん型車輪１とフレーム４を設けＤＣモータ２をコントローラー５にて駆動する事により階段を昇降可能にする。【選択図】図１
2010247808.tif 000002
【特許請求の範囲】
【請求項１】
運搬器具にらせん型車輪（１）とギア付きモータ（２）及びＤＣバッテリー（３）を設置した車輪フレーム（４）を取付、取手部に設けたコントローラー（５）にて階段の昇降を可能にした運搬器具である。
【発明の詳細な説明】
【発明の詳細な説明】
【技術分野】
【０００１】この発明は運搬器具が階段を昇降可能にするためのらせん型車輪とそのシステムに関するものである。
【背景技術】
【０００２】従来運搬器具にクローラー等を取付た台車があった。
【発明が解決しようとする課題】
【０００３】これらは次のような欠点があった。（イ）階段のステップの角に車輪が接し十分な加重を受けられなかった。（ロ）構造が複雑で重量が重く手動型の台車に取付られるようなものがなかった。
【課題を解決させるための手段】
【０００４】運搬器具にらせん型車輪（１）とギア付きモータ（２）及びＤＣバッテリー（３）を設置した車輪フレーム（４）を取付、台車の取っ手部に設けたコントローラー（５）にて階段の昇降を可能にした運搬器具である。
【発明を実施するための形態】
【０００５】（イ）らせん型車輪（１）を左右に設け軸受を介してフレーム（４）に取り付ける。ギア付きＤＣモータ（２）をフレーム（４）に設置し、軸継手を介して車輪軸と連結する。フレーム（４）にＤＣバッテリー（３）設置し、台車取手部にコントローラ（５）を設ける。（ロ）らせん型車輪（１）は車軸（１）−３にらせん型車輪フレームとガイドベアリングを配しゴムのタイヤ部分を循環するように接続した車輪である。（ハ）階段のステップ部分にゴムのタイヤ部分が接地し車輪軸がＤＣモータにより回転することで昇降の駆動を可能とする。（ニ）ゴムタイヤを循環させる為に、図３のようにゴムタイヤ（１）−４を１本にし循環させる方式のかわりに図５のようにゴムタイヤ（１）−４を数本にし車軸と垂直方向に循環させてもよい。
【発明の効果】
【０００６】台車等の階段の昇降を安全に可能にすることができる。
【図面の簡単な説明】
【図１】らせん型車輪を設置した運搬器具の側面図
【図２】らせん型車輪を設置した運搬器具の斜視図
【図３】らせん型車輪の側面図
【図４】らせん型車輪フレームの構造図
【図５】ゴムタイヤの繋図（その２）
【符号の説明】１      らせん型車輪２      ギア付ＤＣモータ３      ＤＣバッテリー４      車輪フレーム５      コントローラー１−１  カップリング１−２  ベアリング１−３  車軸１−４  ゴムタイヤ１−５  ロータ１−６  らせんホイールフレーム１−７  ガイドホイール１−８  ベアリングケース１−９  ガイドホイール軸１−１０カート取付ホルダー
【図１】
2010247808.tif 000003
【図２】
2010247808.tif 000004
【図３】
2010247808.tif 000005
【図４】
2010247808.tif 000006
【図５】
2010247808.tif 000007
(57)【要約】      （修正有）【課題】ペダル漕ぎの力を軽減化した三輪直列自転車を提供する。【解決手段】後輪タイヤ１の所定接地面圧力を減圧するために、設定用フレーム３に減圧車輪２を回転可能に支持する軸８が、サドル６の重心から後輪１寄りの位置に在るように減圧車輪２を装着した三輪直列自転車とする。減圧車輪２はフレーム３に上下移動調整機能を具備し上下移動可能とする。【選択図】図１
2010247805.tif 000002
【特許請求の範囲】
【請求項１】
後輪▲１▼タイヤの所定接地面圧力の設定用フレーム▲３▼に減圧車輪▲２▼軸▲８▼がサドル▲６▼の重心から後輪▲１▼寄りの位置に在るように減圧車輪▲２▼を装着した三輪直列自転車。
【請求項２】
走行中車輪▲２▼の離着地操作が出来る機構を具備したフレーム▲３▼に減圧車輪▲２▼を装着する。
【請求項３】
減圧車輪▲２▼の上下移動調整が出来る機構を具備したフレーム▲３▼に減圧車輪▲２▼を装着する。
【請求項４】
減圧車輪▲２▼を前後方向に位置変更が出来る機構を具備したフレーム▲３▼に減圧車輪▲２▼を装着する。
【請求項５】
商品化した各請求項のフレーム▲３▼。
【発明の詳細な説明】
【枝術分野】
【０００１】本発明は、自転車のペダルを漕ぐ力の軽減化に係るものである。
【背景技術】
【０００２】従来の二輪自転車には、後輪▲１▼タイヤの接地面圧力を減圧車輪▲２▼により減圧してペダルを漕ぐ力を軽減する機構はなかった。
【発明の開示】
【発明が解決しようとする課題】
【０００３】後輪▲１▼タイヤの接地面圧力を減圧車輪▲２▼により減圧しペダルを漕ぐ力を軽減するのが課題である。
【課題を解決するための手段】
【０００４】後輪▲１▼タイヤの所定接地面圧力の設定用フレーム▲３▼に減圧車輪▲２▼の車輪軸▲８▼がサドル▲６▼の重心から後輪▲１▼寄りの位置に在るように減圧車輪▲２▼を装着した三輪直列自転車。【０００５】減圧車輪▲２▼の軸▲８▼がサドル▲６▼の重心から後輪▲１▼寄りの位置に在るように減圧車輪▲２▼を装着する理由は、乗車時、減圧車輪▲２▼タイヤの接地面の地点から後方の車重を除いた自転車の重量を前輪▲５▼と減圧車輪▲２▼の二輪に分担荷重させるためである。【０００６】乗車時、後輪▲１▼タイヤの接地面圧力をＸｋｇに設定した三輪直列自転車の場合。【０００７】この時点で、減圧車輪▲２▼タイヤの接地面の地点から後方の車重を除いた自転車の重量が減圧車輪▲２▼と前輪▲５▼の二輪の分担荷重に代る。【０００８】従って、減圧車輪▲２▼タイヤにはＸｋｇを除いた接地面圧力が掛かるが、減圧車輪▲２▼は後輪▲１▼の駆動力で駆動される動輪であるから対接地面間に転がり摩擦力が働くことになる。【０００９】分担荷重から分離され、接地面圧力Ｘｋｇを受けている後輪▲１▼を、前輪▲５▼と減圧車輪▲２▼の二輪の駆動力として活用する。【００１０】即ち、後輪▲１▼タイヤが受けている接地面圧力Ｘｋｇと減圧車輪▲２▼タイヤの対地面間の転がり摩擦力とを合計したものに対応するペダル漕ぎの力で発生する後輪▲１▼の駆動力で前輪▲５▼と減圧車輪▲２▼とを駆動して走行する。【００１１】走行中、減圧車輪▲２▼の離着地操作が必要な三輪直列自転車にはその機構を具備したフレーム▲３▼に減圧車輪▲２▼を装着する。【００１２】後輪▲１▼タイヤの接地面圧力の変更が必要な三輪直列自転車には減圧車輪▲２▼の上下移動調整が出来る機構を具備したレーム▲３▼に減圧車輪▲２▼を装着する。【００１３】減圧車輪▲２▼の装着位置の変更が必要な三輪直列自転車には減圧車輪▲２▼の前後移動調整が出来る機構を具備したフレーム▲３▼に減圧車輪▲２▼を装着する。
【発明の効果】
【００１４】二輪自転車と本発明の三輪直列自転車のペダル漕ぎに要する力を比較すると。【００１５】二輪自転車で、乗車時の後輪タイヤの接地面圧力５０ｋｇでペダルを漕ぐ力５ｋｇで走行する場合を例にとると。【００１６】三輪直列自転車の乗車時の後輪▲１▼タイヤの接地面圧力を１０ｋｇに設定した場合、減圧車輪▲２▼タイヤには４０ｋｇの接地面圧力が掛かる。【００１７】しかし、減圧車輪▲２▼は後輪▲１▼の駆動力によって駆動される前輪▲５▼と同じ動輪であるから、減圧車輪▲２▼のタイヤには対接地面間に転がり摩擦力が発生する。接地面圧力４０ｋｇに転がり摩擦係数を乗じた値、即ち転がり摩擦係数を０，０５とすれば、４０ｋｇ×０，０５＝２ｋｇの転がり摩擦力が減圧車輪▲２▼タイヤに働く。【００１８】この２ｋｇの減圧車輪▲２▼タイヤの転がり摩擦力をこえるペダル漕ぎの力で後輪▲１▼に駆動力を発生させれば減圧車輪▲２▼は回転して走行する。【００１９】二輪自転車の乗車時、後輪タイヤの接地面圧力５０ｋｇ、ペダルを漕ぐ力５ｋｇで走行すれば、ペダルを漕ぐ力１ｋｇ当り１０ｋｇの駆動力を発生することになる。【００２０】このペダルを漕ぐ力１ｋｇ当り１０ｋｇの駆動力を適用すれば、本三輪直列自転車のペダル漕ぎに要する力は次の式が成立する。
（１）、後輪▲１▼タイヤの接地面圧力１０ｋｇ＝ペダル漕ぎの力＝１ｋｇ。
（２）、減圧車輪▲２▼タイヤの転がり摩擦力２ｋｇ＝ペダル漕ぎの力＝０，２ｋｇ。
よって、ペダル漕ぎの力は（１）＋（２）＝１，２ｋｇとなり、このペダル漕ぎの力１，２ｋｇで後輪▲１▼に発生する駆動力で減圧車輪▲２▼と前輪▲５▼とを駆動して自転車は走行する。【００２１】このペダル漕ぎの力１，２ｋｇは二輪自転車のペダル漕ぎの力５ｋｇと同等の駆動力を発生する。【００２２】ペダル漕ぎに要する力の比較。
（１）、二輪自転車５ｋｇ、
（２）、三輪直列自転車１，２ｋｇ
よって、三輪直列自転車のペダル漕ぎの力は、二輪自転車に比べ（１）−（２）＝３，８ｋｇが軽減される。【００２３】本発明の総合効果。
（１）、後輪▲１▼タイヤの接地面圧力を減圧車輪▲２▼によって空転しない程度まで減圧する。
（２）、減圧車輪▲２▼タイヤの対接地面間の転がり摩擦係数を可能限度まで小さくする。
これに因ってペダル漕ぎの力は最大に軽減される。
【図面の簡単な説明】
【００２４】
【図１】本発明の三輪直列自転車の基本機構の側面図。
【符号の説明】
【００２５】１＝後輪▲１▼。２＝減圧車輪▲２▼。３＝減圧車輪▲２▼の装着フレーム▲３▼。４＝クランク軸▲４▼。５＝前輪▲５▼。６＝サドル▲６▼。７＝ハンドル▲７▼。８＝減圧車輪▲２▼軸▲８▼。
【図１】
2010247805.tif 000003
(57)【要約】      （修正有）【課題】床下収納式リフトは、荷台であるフロアープレートの両側にメインアームとサブアームが交差し、安全上の問題とフロアープレートの荷台幅が広く取れないという問題があった。さらに、このリフトの機構上、長尺物の積み下ろしに適していることに着目し、フロアープレートを長くしたかったが、フロアープレート収納の問題や両側のガイド用長穴溝による強度の制約があった。【解決手段】強度を両側のＬ材で確保し、フロアープレートＢ，Ｃを二枚折畳み式として長くし、積み下ろしの際、通常作業者Ｄは二枚目プレートＣ上に乗ることで、アームＫ，Ｊの交差箇所を避けて立つことが出来、安全性を高め、折り畳んでも収納高さをクリアーし、作業効率を大幅に高めた。またこのリフトは構造上、荷台床面Ａよりさらに高く上昇させる事が容易であり、高所での作業時の安全対策として、二枚目フロアープレートを起立させて安全ガードが構成できる構造とした。【選択図】図２
2010247807.tif 000002
【特許請求の範囲】
【請求項１】
リフトを多目的に使用する目的で、フロアープレートを二枚の折り畳み式とし、且つ、二枚目を起立させ、安全ガードを構成可能なフロアープレート。
【発明の詳細な説明】
【技術分野】
【０００１】本発明はトラック輸送全般において使用される床下収納式リフト（構造：特願２００４−０６８７８０）において、荷役作業を安全確実に行うために考案されたリフトの荷台（フロアープレート）である。
【背景技術】
【０００２】床下収納式リフト（構造：特願２００４−０６８７８０）は軽トラック及び小型トラックの後部床下に取付出来、従来型の床下収納型リフト（特許公開２００３−１７５７６０など）とは違い、構造上優れた特徴を有しているが、荷台であるフロアープレートの両側にメインアームとサブアームが交差し、安全上の問題とフロアープレートの荷台幅が広く取れないという問題があった。【０００３】さらに、このリフトの機構上、長尺物の積み下ろしに適していることに着目し、フロアープレートを長くしたかったが、フロアープレート収納の問題や両側のガイド用長穴溝による強度の制約があった。
【発明の開示】
【発明が解決しようとする課題】
【０００４】床下収納式リフト（構造：特願２００４−０６８７８０）の荷台たるフロアープレートの構造を改善し、プレート上での積み下ろしの荷役作業が多目的に且つ安全、確実に行なえるようにする。
【課題を解決するための手段】
【０００５】構造を見直し、強度を両側のＬ材で確保し、フロアープレートを二枚折畳み式として長くし、積み下ろしの際、人は二枚目のプレート上に乗ることで、アームの交差箇所を避けて立つことが出来る。折り畳んでも収納高さをクリアーすることが出来た。【０００６】またこのリフトは構造上、車両床面よりさらに高く上昇させる事が容易であり、高所での作業時の安全対策として、フロアープレートの二枚目を起立させて安全ガードが構成できる構造とした。
【発明を実施するための形態】
【０００７】請求項１〜２に記載の本発明に係るフロアープレートの構造の説明として図１は従来の床下収納式リフト（構造：特願２００４−０６８７８０）の全体概要図であり図２は本発明（請求項１〜２）を実施した後の概要図である。
【図面の簡単な説明】
【０００８】
【図１】従来の床下収納式リフトの全体概要図である。
【図２】本発明（請求項１）を実施した後のフロアープレートの構造を説明した図である。
【図１】
2010247807.tif 000003
【図２】
2010247807.tif 000004
(57)【要約】【課題】  廃インクの蒸発分の容積を正確に算出する。【解決手段】  廃インクの吐出量をカウントする手段と、廃インクの質量を計測する手段と、廃インクの蒸発分の密度を記憶する手段と、前記廃インクの吐出量をカウントする手段でカウントされた廃インクの吐出量と前記廃インクの質量を計測する手段で計測された廃インクの質量と前記廃インクの蒸発分の密度を記憶する手段に記憶された蒸発分の密度から蒸発分の容積を算出する手段から構成される。【選択図】  図１
2010012662.tif 000002
【特許請求の範囲】
【請求項１】
廃インクの吐出量をカウントする手段と、
廃インクの質量を計測する手段と、
廃インクの蒸発分の密度を記憶する手段と、
前記廃インクの吐出量をカウントする手段でカウントされた廃インクの吐出量と前記廃インクの質量を計測する手段で計測された廃インクの質量と前記廃インクの蒸発分の密度を記憶する手段に記憶された蒸発分の密度から蒸発分の容積を算出する手段
からなることを特徴とする画像出力装置。
【発明の詳細な説明】
【技術分野】
【０００１】
本発明は、インクジェットプリンタの廃インク処理に関するものである。
【背景技術】
【０００２】
インクジェットプリンタは、インクが乾燥するので吐出回復処理が必要となる為、吐出回復処理で排出される廃インクを収容する機構が必要となる。本発明は、この廃インク収容手段の収容量を管理する方法に関するものである。従来から、回復処理時の廃インクの吐出量をカウントして、ある一定以上になったら警告を出して、交換を促すものが考案されている。また、蒸発分を考慮して、時間経過とともに、蒸発係数を乗じて、廃インク量を算出するものが考案されている（例えば、特許文献１参照。）。
【特許文献１】特開平6-210874号公報
【発明の開示】
【発明が解決しようとする課題】
【０００３】
しかしながら、前記従来例では、経過時間毎に一律に蒸発係数を決めており、実使用上、正確とはいえないという問題点が有する。
【課題を解決するための手段】
【０００４】
上記問題に鑑みて、本発明の画像出力装置は、
廃インクの吐出量をカウントする手段と、廃インクの質量を計測する手段と、廃インクの蒸発分の密度を記憶する手段と、前記廃インクの吐出量をカウントする手段でカウントされた廃インクの吐出量と前記廃インクの質量を計測する手段で計測された廃インクの質量と前記廃インクの蒸発分の密度を記憶する手段に記憶された蒸発分の密度から蒸発分の容積を算出する手段から構成される。
【発明の効果】
【０００５】
本発明によれば、廃インクの蒸発分を正確に算出することが出来るため、廃インク収容手段を、有効、効率的に利用出来、廃インク収容手段の交換までの期間を長くすることが出来、交換回数を減らすことが出来ると言う効果を有する。
【発明を実施するための最良の形態】
【０００６】
次に、本発明の詳細を実施例の記述に従って説明する。
【実施例１】
【０００７】
図１は、本発明の実施例のブロック図である。１は廃インク量をカウントするところの廃インクカウント部で、２は回復動作１回につき吐出される廃インク量を記憶するところの吐出される廃インク量記憶部で、３は廃インクの蒸発分を算出するところの蒸発分算出部で、４は廃インクの蒸発成分の密度を記憶するところの蒸発分の密度記憶部で、５は廃インクの質量を計測するところの廃インク質量計測部である。
【０００８】
次に図１の動作説明を図２と図３と図４の計算式を基に説明する。回復動作１回行う毎に廃インクカウント部１は、吐出される廃インク量記憶部２で記憶されている回復動作１回につき吐出される廃インク量を図２の計算式に基づいてカウントアップする。蒸発分算出部３は、蒸発分を算出する場合に、廃インクカウント部１に回復動作で吐出された廃インクの総量を要求する。その場合、廃インクカウント部１は廃インクの総量を蒸発分算出部３へ送る。更に廃インク質量計測部５に現在の廃インクの質量を要求する。その場合、廃インク質量計測部５は、現在の廃インクの質量を計測して、蒸発分算出部３へ送る。蒸発分算出部３は、図３の計算式に基づいて、蒸発分の質量を算出する。次に蒸発分の密度記憶部４に記憶された蒸発成分の密度を読み出し、図４の計算式に基づいて、蒸発分の容積を算出する。以上により蒸発分を正確に算出することが可能になる。
【図面の簡単な説明】
【０００９】
【図１】実施例のブロック図
【図２】吐出廃インク総量を算出する計算式
【図３】蒸発分の質量を算出する計算式
【図４】蒸発分の容積を算出する計算式
【符号の説明】
【００１０】
１  廃インクカウント部
２  吐出される廃インク量記憶部
３  蒸発分算出部
４  蒸発分の密度記憶部
５  廃インク質量計測部
【図１】
2010012662.tif 000003
【図２】
2010012662.tif 000004
【図３】
2010012662.tif 000005
【図４】
2010012662.tif 000006
(57)【要約】      （修正有）【課題】ページの開く方向を上下左右の４方向に増やし、さらに同時に表示できるページ数を５つまで増やすことが出来る。【解決手段】バインダー１の紙をとじる金具２を正方形のように付ける。そこに重ねるように紙３を好きなとじ金具にはさんでいく。そうすることによってページの開く方向が上下左右に増え、同時に表示できるページ数が５枚になる。【選択図】図２
2010012758.tif 000002
【特許請求の範囲】
【請求項１】
本発明は、ノート（バインダーも含む）のページの開く方向を上下、左右に増やすことを考えた発明であるである。
ノートの閉じ部、あるいはバインダーの紙を挟む金具を正方形に取り付けることにより、ページの開き方の幅を四方向にすることが可能になる。
この方法によって最大５ページを使って書き物を表現することが出来るようになる。
【発明の詳細な説明】
【技術分野】
【０００１】この発明は、バインダーまたはノートの紙を挟む部分を正方形で囲むことによってページの開く方向を４つ（上下左右）に広げることを可能にしたものである。
【背景技術】
【０００２】今までのノートまたはバインダーはページを開く方向が左右しかなく、しかも同時に表示する最大枚数は２枚であった。
【発明の開示】
【発明が解決しようとする課題】
【０００３】ノートまたはバインダーのページを開く方向が上下左右になるため、同時に表現できる枚数は５枚になる。
【課題を解決するための手段】
【０００４】バインダーの閉じる金具を４つに増やす。この閉じ部あるいは金具を正方形の形に囲むように並べる。そして紙を重ねるように好きな閉じ部にファイルしていく。上に開きたいときは上の閉じ部にファイルし、下に開きたいときは下の閉じ部に紙をファイルし、右に開きたいとき、左に開きたいときも右、左の閉じ部にファイルしてく。このとき紙を重ねてファイルしていく。
【発明の効果】
【０００６】こうすることによって同時に表現できる最大ページが５枚にまで増え、子供の落書きちょう、絵本、漫画の表現の仕方に幅ができる。
【発明を実施するための最良の形態】
【０００７】バインダーの閉じ部を４つに増やし、それを正方形に囲む方法がある。
【図面の簡単な説明】
【０００８】
【図１】バインダーの閉じ金具部を正方形に４つつけるイメージ図である。
【図２】ページを上下左右に開くということを図で描いたものである。
【符号の説明】
【０００９】１、バインダー
２、紙を挟む金具
３、ルーズリーフ
【図１】
2010012758.tif 000003
【図２】
2010012758.tif 000004
(57)【要約】      （修正有）【課題】短期的な周期にて行う書類の収納が、シンプルにクリアファイルの持つ機能の最たるものであると考慮し、書類の完全保護の概念を切り捨て、よりいっそう利便性を追求させ、また副次的効果として、それら製造にかかる原料の軽減を図ることができる書類ファイルを提供する。【解決手段】一枚のシートを折り曲げて重ね合わせ、この折り曲げ部に隣接する一辺には溶着等によりシールを施す。表部シートの一部をカットし、裏部シートの折り曲げ部とシール部に隣接しない角部に袋部を形成させる。【選択図】図２
2010012762.tif 000002
【特許請求の範囲】
【請求項１】
クリアファイルの本来あるべきはずの表部シートの一部をカットしたもの。
【請求項２】
クリアファイル裏部シートの折り曲げ部及びシール部に隣接しない角部分に袋部を形成したもの。
【発明の詳細な説明】
【技術分野】
【０００１】この発明は、文書、カタログ、パンフレットなどの書類を収納するためのファイルに関するものである。
【背景技術】
【０００２】従来このような書類ファイルとしては、例えば、１枚の透明シートを折り曲げて重ね合わせ、この折り曲げ部に隣接する１辺にシール部を形成したもの「特許文献１」  さらに、収納書類の脱落防止機能が付加されたもの「特許文献２」などがある。
【特許文献１】特許公開２００５−２９７３２１号広報
【特許文献２】特許公開２０００−０１５９７２号広報
【発明の開示】
【発明が解決しようとする課題】
【０００３】しかしながら、以上の技術によれば、１枚の透明シートを折り曲げて重ね合わせたことにより、形成された表部シートが収納される書類を覆い、さらに書類脱落の技術を設けた場合はよりいっそう、クリアファイルが持つ簡易な収納を妨げることになりえる。
そこで、この発明は、書類の保護は一部損ねるが簡易収納を第一義と捉え、簡易収納の妨げにならないよう選択可能な書類の脱落防止機能を付加することを課題とし、また、副次的効果として、それらの製造にかかる原料の軽減を図ることが可能になる。
【課題を解決するための手段】
【０００４】  以上の課題を解決するために、第一発明は、ファイルの表部シートの一部がカットされたものを特徴とする。
また、第二発明は、ファイル裏部シートの折り曲げ部及びシール部に隣接しない角部に袋部分を形成したものを特徴とする。
【発明の効果】
【０００５】  第一発明、または第二発明によれば、書類の出し入れに不便さがなく、且つ書類の脱落を防止することもできる。
【発明を実施するための最良の形態】
【０００６】  この発明の一実施形態を、代表図面に示す。
ファイルの表部シートの一部がカットされており、裏部には三角状の袋部分が設けられている。【０００７】「実施形態の効果」
この実施形態によれば、ファイル表部シートをめくる動作がなく書類収納が可能になる。補足説明として片手に当該ファイルを持った際に，ファイルの表部をカットしたことによる効果として、書類差込口が広がり書類の収納を簡易に行うことができる。
また、袋部分に書類の一部を差し込むことによって、当該書類の脱落の防止を図ることが可能となる。【０００８】「他の実施形態」
代表図面の実施形態では、ファイル表部シート及び袋部のカットが直線的であるが、他の実施形態では、直線でなくても良い。
【図面の簡単な説明】
【０００９】
【代表図面】
この発明の一実施形態を示す斜視図である。
【図１】
書類収納時の斜視図である。
【図２】
書類の脱落防止機能使用時の斜視図である。
【図３】
従来技術を示す斜視図である。（表部がカットされていないもの）
【図４】
従来技術を示す斜視図である。（書類の脱落防止がなされたもの）
【符号の説明】
【００１０】  １  表部シート              ａ  書類差込口
２  裏部シート              ｂ  書類脱落防止用  差込口
３  折り曲げ部
４  シール部
５  カットされたライン
６  袋部
2010012762.tif 000003
【図１】
2010012762.tif 000004
【図２】
2010012762.tif 000005
【図３】
2010012762.tif 000006
【図４】
2010012762.tif 000007
【手続補正書】
【提出日】平成20年8月22日(2008.8.22)
【手続補正２】
【補正対象書類名】明細書
【補正対象項目名】０００９
【補正方法】変更
【補正の内容】
【０００９】
【図１】斜視図  書類収納時の図である。
【図２】斜視図  書類の脱落防止機能使用時の図である。
【図３】斜視図  従来技術を示す図である。（表部がカットされていないもの）
【図４】斜視図  従来技術を示す斜視図である。（書類の脱落防止がなされたもの）
【手続補正３】
【補正対象書類名】図面
【補正対象項目名】全図
【補正方法】変更
【補正の内容】
【図１】
2010012762.tif 000008
【図２】
2010012762.tif 000009
【図３】
2010012762.tif 000010
【図４】
2010012762.tif 000011
(57)【要約】【課題】使用する事により小さくなり使いづらくなった固形石鹸を簡単に最後まで使い切れる補助具を提供する。【解決する手段】使いやすい様背面に握り手を付けた内側へやや湾曲させた略楕円形からなる手のひら状でイボイボ状の複数の突起がある表面を有する面に小さくなった固形石鹸を押し付けて維持させ使用することで最後まで無くなるまで使い切れる事を特徴とする固形石鹸用使い切り補助具。【選択図】図１
2010012190.tif 000002
【特許請求の範囲】
【請求項１】
内側へやや湾曲させた略楕円形からなる手のひら状の本体の内側面に複数の小突起を設け、本体の外側面に握り手を設けた事を特徴とする固形石鹸用使い切り補助具。
【発明の詳細な説明】
【０００１】  本発明は使用する事によって小さくなり使いにくくなった固形石鹸を最後まで使い切る為の固形石鹸用使い切り補助具に関するものである。
【背景技術】
【０００２】  固形石鹸は使用する事によって小さくなるほど使いづらく泡立ちも悪くなっていた。
【発明の開示】
【発明が解決しようとする課題】
【０００３】  使用する事で小さくなってしまった固形石鹸の使用に関して従来から次の様な問題点があった。
（イ）、手のひらサイズ（特に大人の手のひら）には合わなくなり使いづらい。
（ロ）、滑りやすく握りにくくなる為、握力が弱く器用さのまだ乏しい幼児等には特に使いづらい。
（ハ）、非使用時、多くの場合石鹸箱などに置かれ保管される為、石鹸箱との接触面のふやけによる型崩れからくる使用むら（石鹸表面が凸凹になる為、使用時タオル等の上で均等に泡とならず小さな固まりが付着する事）の発生の問題点があった。
（ニ）、小さくなるに従って次第に泡立ちも悪くなっていく問題点があった。
以上の様な問題点が有った為、使用することで小さくなった固形石鹸は廃棄処分される場合もあり、経済面や地球環境保護の観点からも不利益な点が多数有った。本発明は以上の問題点を解決するためになされたものである。
【課題が解決しようとする手段】
【０００４】  内側へやや湾曲させた略楕円形からなる手のひら状の本体の内側面に複数の小突起を設け、外側面に握り手を設けた事を特徴とする固形石鹸用使い切り補助具である。
【発明の効果】
【０００５】  使用する事で小さくなった固形石鹸等を容易に最後まで使いきる事ができ、本発明背面に握り手を装着させる事によって手のひらが石鹸のサイズに合わない、握力が弱いなどの使う人の弱点を補う事が出来る。且つ固形石鹸が本発明の表面上で薄く押し広げられるため表面積が本発明を使用しない時に比べ増し最後まで新品の石鹸とほぼ同様の泡立ちを発揮させる事が出来る。
又、フック掛け用穴を設ける事で本発明に付着させる固形石鹸は非使用時、壁掛けフック等に掛けられる形で置かれる為、型崩れが無くなり使用むらが減少した。
同時に水切りが良くなる事で衛生面でも効果を得られている。
【発明を実施するための最良の形態】
【０００６】  以下、本発明の実施の形態を説明する。
（イ）、大人の手のひらよりやや小さい略楕円形板状の本体１は、ポリプロピレンなどの合成樹脂からなり、内側へやや湾曲させる。
（ロ）、本体１の内側前面に突起２を複数設ける。
（ハ）、本体１の上端に小穴３を設ける。
（ニ）、本体の外面に握り部４を設ける。
本発明は以上の構成から成るので本発明を使用する時には小さくなった固形石鹸５を複数の突起２に押し付けて維持させ、握り部４を手で持って、タオル６や身体に擦りつけて洗うことができる。
本発明を使用しない時は、壁などのフックに小穴３をかけておく。
【図面の簡単な説明】
【０００７】
【図１】本発明の分離斜視図。
【図２】本発明の正面図
【図３】本発明の側面図。
【図４】本発明の背面図。
【図５】本発明の使用状態を表す斜視図。
【図６】本発明の使用状態を表す斜視図。
【図７】非使用時、壁に掛た状態の図。
【符号の説明】
【０００８】１、  本体
２、  突起
３、  小穴
４、  握り部
５、  固形石鹸
６、  タオル
【図１】
2010012190.tif 000003
【図２】
2010012190.tif 000004
【図３】
2010012190.tif 000005
【図４】
2010012190.tif 000006
【図５】
2010012190.tif 000007
【図６】
2010012190.tif 000008
【図７】
2010012190.tif 000009
(57)【要約】      （修正有）【課題】サンダルのような二つで一つとなる物をそろえたときにキスをしているような表現をさせる。【解決手段】サンダルのような二つで一つとなるものの内側に男女の顔をかく。その顔をキスをするような表現にする。サンダルをそろえたときにそのキャラクターがキスをしているかのような表現になる。顔はかく以外にもシールとして貼る方法もある。【選択図】図１
2010012185.tif 000002
【特許請求の範囲】
【請求項１】
スリッパのような二つで一つになるような物の内面に、男女のキスをするような顔をかき、スリッパをそろえたときにキスをするような表現をすることが出来るアイデアである。あるいは男女の顔のかいたシールをはりつけ、同じような効果をもたらせる。
【発明の詳細な説明】
【技術分野】
【０００１】この発明は、サンダルのような二つで一つとなるような物の内側に男女のキスする顔をかくことにより、スリッパをそろえたときにまるでキスをするように表現させるアイデアである。
【背景技術】
【０００２】いままでのサンダルはデザイン的な絵は描いてあったが、それによって何かを表現しているものではなかった。
【発明の開示】
【発明が解決しようとする課題】
【０００３】サンダルをそろえるときに面白みを持たせることにより、サンダルをそろえる可能性を増やすことが出来る。
【課題を解決するための手段】
【０００４】サンダルのような二つで一つとなるものの内側に男女の顔をかく。その顔をキスをするような表現にする。サンダルをそろえたときにそのキャラクターがキスをしているかのような表現になる。顔はかく以外にもシールとして貼る方法もある。
【発明の効果】
【０００６】サンダルをそろえる効果がある。
【発明を実施するための最良の形態】
【０００７】サンダル、スリッパ、靴、箸、などの二つで一つとなるような物に絵をかく。
【図面の簡単な説明】
【０００８】
【図１】サンダルにキスをする顔をかいた図。あわせるとキスしたような表現になる
【符号の説明】
【０００９】１、サンダル
２、キスのかいたシール
【図１】
2010012185.tif 000003
(57)【要約】【課題】  車椅子の利用は、常に座位の姿勢となり、利用する時間も長くなる。座位の状態が続くことにより、血流が悪くなり、下肢側に血液がたまりやすい。足は、フットレストにのせて、利用するが、フットレスト自体は、平で固いために、足裏の負担も増える。【解決手段】車椅子フットレスト表面に、マットを取り付けることで、足裏にクッション性を出し、足裏への直接負担を軽減することとする。マット自体は、自動車室内用マットをフットレストのサイズで、カットした裏面に、マジックテープ（取り付け側）を接着固定する。フットレスト側には、マジックテープ（受け側）の裏に、両面テープ固定したものをフットレスト表面に貼りつける。これによって、脱着固定可能となり、汚れの手入れ、補修交換、ファッションによる色替えも可能となる。【選択図】図１
2010012183.tif 000002
【特許請求の範囲】
【請求項１】
車椅子座位が長時間に及ぶ際の下肢への負担軽減を図るため、フットレスト表面に、マットを取り付けることで、足先の疲労を軽減するもの。
【発明の詳細な説明】
【技術分野】
【０００１】  本発明は、車椅子使用時の足先の負担軽減を目的とする福祉用具に関する。
【背景技術】
【０００２】  車椅子利用者は、座位の姿勢時間が長く、車椅子利用については、室内、屋外でも利用。使用者においては、靴を履いているか、もしくは、足を靴下などで保護した状態での座位で、使用している。
【発明の開示】
【発明が解決しようとする課題】
【０００３】  上記にて述べた使用状況であると、血流が悪く、足先への負担が増え疲労感も出やすい。【０００４】  本発明は、フットレスト表面に、クッションとなるマットを設置することで、直接足裏へかかる負担を軽減するものである。
【問題を解決するための手段】
【０００５】  本発明は、上記の問題を解決するため、自動車室内用カーペットマットを利用し、フットレスと表面に、設置することで、フットレストと足裏との間に、クッション性を持たせ、負担軽減を図った。
裏面がゴム製の自動車室内用カーペットマットを使用することで、洗濯ができるように対応する。
カーペットマットは、フットレストサイズにカットしたものの裏面に、マジックテープを利用し、フットレストに固定する。
マジックテープの利用は、介助面やメンテナンス性、ファッション性を考慮して、取り外し可能とすることとしている。
【発明の効果】
【０００６】  車椅子フットレストにマットを取り付けることで、足裏に直接硬さが伝わることがなくなり、足裏の負担が軽減され、長時間の座位が楽になる。
マット自体の取り外しが可能になる事で、汚れた際の洗濯、室内外の使い分け、色を使い分けるファッション性に対応することができる。
【発明の実施するための最良の形態】
【０００７】  図において、自動車室内用カーペットマット裏面（ラバー）に、フットレスト固定用マジックテープを接着剤にて貼りつけている。フットレスト側に貼るマジックテープ裏面には、両面テープを貼る。
【図面の簡単な説明】
【０００８】
【図１】  フットレスト用マットの平面図
【図２】  フットレスト用マットのＡ−Ａ断面図
【図３】  フットレスト用マット取り付けマジックテープ平面図
【図４】  フットレスト用マット取り付けマジックテープＢ−Ｂ断面図
【符号の説明】
【０００９】１  自動車車内用マットラバー面
２  マジックテープ（オス）
３  自動車車内用マットカーペット
４  マジックテープ（メス）
５  両面テープ
【図１】
2010012183.tif 000003
【図２】
2010012183.tif 000004
【図３】
2010012183.tif 000005
【図４】
2010012183.tif 000006
(57)【要約】【課題】顔面の皮膚のたるみやシワの原因となる口横のほうれい線を上方へ引き上げて、顔の皮膚を引き締め、たるみを防止する顔のマスクを提供する。【解決手段】顔面に装着する伸縮性のある生地からなる顔マスクであって、マスクの本体は左右対称からなり、頭頂部の後方へ回して縛結する一対の主ベルトと頭部の背面に回して縛結する一対の副ベルトを設ける。それぞれのベルトは端部が面ファスナーで掛合されル。顔の耳位置にマスクの耳穴を設け、口位置にマスクの口穴を設け、その下方に顎穴を設ける。マスクの顎の位置の下縁はゴム帯が付けられる。【選択図】図１
2010012188.tif 000002
【特許請求の範囲】
【請求項１】
顔面に装着する伸縮性のある生地からなる顔マスクであって、マスクの本体は左右対称からなり、頭頂部の後方へ回して縛結する一対の主ベルトと頭部の背面に回して縛結する一対の副ベルトを設け、それぞれのベルトは端部が面ファスナーで掛合され、顔の耳位置にマスクの耳穴を設け、口位置にマスクの口穴を設けその下方に顎穴を設け、マスクの顎の位置の下縁はゴム帯が付けられる。以上よりなる顔面たるみ防止マスク。
【発明の詳細な説明】
【技術分野】
【０００１】  本発明は、顔面の皮膚のたるみやシワの原因となる口横のほうれい線を上方へ引き上げて、顔の皮膚を引き締め、たるみを防止する顔のマスクに関するものである。
【背景技術】
【０００２】    従来、顔の頬の皮膚のたるみを防止するために、両手を両側の頬に当てて頬のたるみの皮膚を上方に持ち上げたまま、２〜３分静止状態を保ち、これを繰り返すことをしている。しかし手作業によるために、手が疲れて持続力がなく続いていないことが多い。
また、化粧水をシートに染み込ませる美顔マスクが一般に知られている。さらに、顔の顎のラインに密着させて顎のラインの手入れを効率的にする立体フェイスマスクが知られている（特許文献１）。
【特許文献１】特許公開２００７−３３０３２９号公報
【発明の開示】
【発明が解決しようとする課題】
【０００３】  従来より次のような問題点があった。
（イ）、化粧水をシートに染み込ませる美顔マスクは、肌の手入れだけのもので老化防止の工夫がなされていない。
（ロ）、顔面全体をシートで覆うフェイスマスクは、顔面への圧迫感や威圧感が強く、継続的に使用することが困難である。
本発明は以上の問題点を解決するための、顔面のたるみ防止マスクである。
【課題を解決するための手段】
【０００４】  顔面に装着する伸縮性のある生地からなる顔マスクであって、マスクの本体は左右対称からなり、頭頂部の後方へ回して縛結する一対の主ベルトと頭部の背面に回して縛結する一対の副ベルトを設け、それぞれのベルトは端部が面ファスナーで掛合される。顔の耳位置にマスクの耳穴を設け、口位置にマスクの口穴を設けその下方に顎穴を設ける。
またマスクの顎の位置の下縁はゴム帯が付けられている。
本発明は以上の構成よりなる。本発明を使用するときは、本体を顔面に装着し、左右の主ベルト及び副ベルトで顔面に装着固定する。
【発明の効果】
【０００５】    本発明は、顔の表面にだれでも簡単に装着することが可能で、顔への圧迫感がない。本発明を使用することで、頬の筋力を強化して顔の皮膚のたるみや老化を防止できる。
【発明を実施するための最良の形態】  以下本発明の実施の形態を説明する。
（イ）  顔面に装着する伸縮性のある生地からなる顔マスクであって、マスクの本体（          １）は左右対称からなり、頭頂部の後方へ回して縛結する一対の主ベルト（２          ）を設け、主ベルト（２）の端部は互いに掛合する面ファスナー（３）を設け          る。
（ロ）  マスク本体（１）に、頭部の背面に回して縛結する一対の副ベルト（４）を設          け、副ベルト（４）の端部は互いに掛合する面ファスナー（５）を設ける。
（ハ）  顔の耳位置にマスクの耳穴（６）を設ける。
（ニ）  顔の口位置にマスクの口穴（７）を設けその下方に顎穴（８）を設ける。
（ホ）  マスク本体（１）の顔の頬位置にポケット（９）を設ける。
（ヘ）  マスクの顎部位の下縁にゴム帯（１０）を設ける。
本発明は以上の構成よりなる。本発明を使用するときは、本体（１）を顔面に装着し、左右の主ベルト（２）を頭部の後方へ回して縛り、左右の面ファスナー（３）を掛合する。また、左右の副ベルト（４）を後頭部へ回して縛り、左右の面ファスナー（５）を掛合する。以上により、本体は顔面に装着固定される。ゴム帯（１０）は、顎が湾曲になっているために、ゴム帯の収縮で顎下にマスクをフィットさせる。
なお本発明を使用するときに、顎穴（８）に顎を定着させ、頬の皮膚を引き上げながら主ベルト（２）を契合する。次に、ほうれい線を耳横に引き寄せながら副ベルト（４）を耳後で契合する。両頬のポケット（９）は、低周波の振動体を入れて頬の筋力を強化させて老化を防止させる。女性だけでなく男性ににも共通するので、自宅で就寝前に１０分〜２０分使用するだけで老化防止につながる。
【図面の簡単な説明】
【０００６】
【図１】本発明の斜視図
【図２】本発明の使用状態を示す斜視図
【図３】本発明の使用状態を示す斜視図
【符号の説明】
【０００７】１、  本体
２、  主ベルト
３、  面ファスナー
４、  副ベルト
５、  面ファスナー
６、  耳穴
７、  穴
８、  顎穴
９、  ポケット
１０、  ゴム帯
【図１】
2010012188.tif 000003
【図２】
2010012188.tif 000004
【図３】
2010012188.tif 000005